(57)【要約】【課題】送電用鉄塔などの構造物に用いられるボルトに取付可能なヒ素合金金物とは異なる構造の鳥害防止具およびこれを用いた鳥害防止方法を提供する。【解決手段】鳥害防止具１０は、鳥が忌避する動物の目に模した本体部と、本体部に接着された、かつ、鳥害防止具１０を取り付けるボルトに螺合可能な雌ネジが切られた円筒溝が形成された塩ビナット１３とを具備する。本体部は、中空の容器１１と、容器１１内の略中央部に位置するように支持棒１２ａを介して容器１１に固定された目玉球１２とを備える。容器１１と塩ビナット１３とは接着されており、また、鳥が忌避する動物の目に模した目玉シール１４が、目玉球１２に貼り付けられている。【選択図】図１
2008199985.tif 000002
【特許請求の範囲】
【請求項１】
鳥が構造物に近付くことを防止するための鳥害防止具（１０，２０，３０，４０）であって、
鳥が忌避する動物の目に模した本体部と、
前記鳥害防止具を取り付けるボルトに螺合可能な雌ネジが切られた円筒溝が形成されたナット（１３，２３，３３，４３）と、
を具備することを特徴とする、鳥害防止具。
【請求項２】
前記本体部が、中空の容器（１１）と、該容器内の略中央部に位置するように支持棒（１２ａ）を介して該容器に固定された目玉球（１２）とを備え、
前記容器と前記ナット（１３）とが接着されており、
鳥が忌避する動物の目に模した目玉シール（１４）が前記目玉球に貼り付けられている、
ことを特徴とする、請求項１記載の鳥害防止具。
【請求項３】
前記本体部が、容器（２１）と、目玉球（２２）とを備え、
前記容器に、一端が前記ナット（２３）に固定されかつ他端が該容器に設けられた支持部材（２５）に固定された支持棒（２２ａ）を通すための貫通孔と、該容器の中心部に位置するように該支持棒に取り付けられた前記目玉球を収容するための中空部とが形成されており、
前記容器が前記支持棒の周りを回転可能にされており、
鳥が忌避する動物の目に模した目玉シール（１４）が前記容器に貼り付けられており、
前記目玉球が、太陽光線を反射する反射膜でコーティングされている、
ことを特徴とする、請求項１記載の鳥害防止具。
【請求項４】
前記本体部が、中空の容器（３１）と、目玉球（３２）と、キャップ（３５）とを備え、
前記容器に、水（３６）を該容器内に入れたのちに前記キャップによって蓋がされる孔が形成されており、
前記容器と前記ナット（３３）とが接着されており、
鳥が忌避する動物の目に模した目玉シール（１４）が前記目玉球に貼り付けられており、
前記目玉球が、前記容器内の前記水に浮かぶようにして該容器内に入れられている、
ことを特徴とする、請求項１記載の鳥害防止具。
【請求項５】
前記本体部が、中空の容器（４１）と、該容器から突出された回転軸（４５ａ）の一端に取り付けられたプロペラ（４５）とを備え、
前記回転軸の他端が前記容器に回転可能に支持されており、
前記容器内に、前記回転軸に固定された、かつ、異なる色をそれぞれ発光する複数個の発光ダイオード（４８1〜４８4）が取り付けられた発光ダイオード支持部材（４７）と、前記プロペラが回ると前記複数個の発光ダイオードを発光させる発光手段とを備え、
前記容器と前記ナット（４３）とが接着されており、
鳥が忌避する動物の目に模した目玉シール（１４）が前記容器に貼り付けられている、
ことを特徴とする、請求項１記載の鳥害防止具。
【請求項６】
前記発光手段が、前記回転軸に固定された基板支持部材（４６）と、該基板支持部材に取り付けられたプリント基板（５１）と、該プリント基板に取り付けられた電池（５３1〜５３3）および遠心力スイッチ（５４）とを備え、
前記プロペラが回ると、前記基板支持部材が回って前記遠心力スイッチがオンし、前記電池から前記複数個の発光ダイオードに直流電流が供給されて、該複数個の発光ダイオードが発光する、
ことを特徴とする、請求項５記載の鳥害防止具。
【請求項７】
前記発光手段が、前記回転軸に固定された基板支持部材（４６）と、該基板支持部材に取り付けられたプリント基板（５１）と、該プリント基板に取り付けられた遠心力スイッチ（５４）と、前記発光ダイオード支持部材に取り付けられた太陽電池とを備え、
前記プロペラが回ると、前記基板支持部材が回って前記遠心力スイッチがオンし、該遠心力スイッチを介して前記太陽電池から前記複数個の発光ダイオードに直流電流が供給されて、該複数個の発光ダイオードが発光する、
ことを特徴とする、請求項５記載の鳥害防止具。
【請求項８】
前記発光手段が、前記プロペラによる発電機構を備え、
前記プロペラが回ると、前記発電機構から前記複数個の発光ダイオードに直流電流が供給されて、該複数個の発光ダイオードが発光する、
ことを特徴とする、請求項５記載の鳥害防止具。
【請求項９】
構造物に用いられるボルトに前記ナットを螺合させて、該ボルトの先端部分に請求項１乃至８いずれかに記載の鳥害防止具を取り付けることを特徴とする、鳥害防止方法。
【請求項１０】
請求項１乃至８いずれかに記載の鳥害防止具と、ヒ素を５〜１５重量％含んだヒ素合金により作成された、かつ、ボルトに螺合可能な雌ネジが切られた円筒溝が形成されたナット形状を有する鳥害防止用ヒ素合金金物とを併用して、送電用鉄塔に鳥が近付かないようにする鳥害防止方法であって、
前記送電用鉄塔の営巣部分以外の部分に用いられているボルトに前記ナットを螺合させて、該ボルトの先端部分に請求項１乃至８いずれかに記載の鳥害防止具を取り付け、
前記送電用鉄塔の前記営巣部分に用いられている他のボルトに前記鳥害防止用ヒ素合金金物を螺合させて、該他のボルトの先端部分に該鳥害防止用ヒ素合金金物を取り付ける、
ことを特徴とする、鳥害防止方法。
【発明の詳細な説明】
【技術分野】
【０００１】
本発明は、鳥害防止具および鳥害防止方法に関し、特に、送電用鉄塔などに使用されているボルトの先端部分に取り付けて鳥を寄せ付けないようにするのに好適な鳥害防止具および鳥害防止方法に関する。
【背景技術】
【０００２】
従来、鳥が送電用鉄塔（高圧送電線の鉄塔）に営巣することを防止するための鳥害防止具として、下記の特許文献１には、鉄塔の構造部材から直接的にまたは支持体を介して間接的に複数本の紐状体（紐類、ロープ類、縄類およびテープ類など）を下方へ垂れ下げることにより、下方に垂れ下がった紐状体がカラスなどの鳥を寄せ付けなくし、作業者は紐状体を手で払いのけながら鉄塔上を安全に歩行することができ、かつ、誤って紐状体が落下しても危険性を少なくした鉄塔用鳥害防止具が開示されている。
【０００３】
また、下記の特許文献２には、雨受けアングルをＵ金具とＩ金具とで挟持して固定し、Ｕ金具のボルトにナットでＬ形支柱板を固定し、この２個のＬ形支柱板に軸受で回転自在に光るテープを貼付したパイプを支持することにより、カラスが光るテープにおびき寄せられて止まった瞬間に急回転してカラスが不安定な状態となり恐怖心を起こして以後近寄らなくなるようにした鳥害防止器具が開示されている。
【０００４】
なお、本出願人は、下記の特許文献３において、鳥が忌避するヒ素を５〜１５重量％程度含んだヒ素合金により作成された、かつ、構造物を構成する構造材を固定する既設のボルトに螺合可能な雌ネジが切られた円筒溝が形成されたナット形状を有する鳥害防止用ヒ素合金金物を既設のボルトの先端部分に螺合させることにより、構造が簡易で低コストで製造することができ、取付けが極めて簡易で、かつ、構造物上での作業者の作業を妨げることをほとんどなくした鳥害防止用ヒ素合金金物を提案している。
【特許文献１】特開平１０−９４３５６号公報
【特許文献２】実開平６−３８５５９号公報
【特許文献３】特開２００６−２０４１４７号公報
【発明の開示】
【発明が解決しようとする課題】
【０００５】
しかしながら、上記の特許文献１に開示された鉄塔用鳥害防止具および上記の特許文献２に開示された鳥害防止器具では、送電用鉄塔での作業者の作業の邪魔になることが多く、場合によってはこれらを取り除いて作業をする必要があるという問題のほか、鳥の慣れなどにより長期にわたって十分な効果を得られるか疑問であるという問題がある。
【０００６】
また、上記の特許文献３で本出願人が提案した鳥害防止用ヒ素合金金物は、送電用鉄塔に用いた場合、作業者の作業の邪魔になることはなく、また、長期にわたって十分な効果が得られると思われるが、より十分な効果を得るためには、これとは異なる構造の鳥害防止具を開発して、これらを併用できるようにすることが好ましい。
【０００７】
本発明の目的は、送電用鉄塔などの構造物に用いられるボルトに取付可能なヒ素合金金物とは異なる構造の鳥害防止具およびこれを用いた鳥害防止方法を提供することにある。
【課題を解決するための手段】
【０００８】
本発明の鳥害防止具は、鳥が構造物に近付くことを防止するための鳥害防止具（１０，２０，３０，４０）であって、鳥が忌避する動物の目に模した本体部と、前記鳥害防止具を取り付けるボルトに螺合可能な雌ネジが切られた円筒溝が形成されたナット（１３，２３，３３，４３）とを具備することを特徴とする。
ここで、前記本体部が、中空の容器（１１）と、該容器内の略中央部に位置するように支持棒（１２ａ）を介して該容器に固定された目玉球（１２）とを備え、前記容器と前記ナット（１３）とが接着されており、鳥が忌避する動物の目に模した目玉シール（１４）が前記目玉球に貼り付けられていてもよい。
前記本体部が、容器（２１）と、目玉球（２２）とを備え、前記容器に、一端が前記ナット（２３）に固定されかつ他端が該容器に設けられた支持部材（２５）に固定された支持棒（２２ａ）を通すための貫通孔と、該容器の中心部に位置するように該支持棒に取り付けられた前記目玉球を収容するための中空部とが形成されており、前記容器が前記支持棒の周りを回転可能にされており、鳥が忌避する動物の目に模した目玉シール（１４）が前記容器に貼り付けられており、前記目玉球が、太陽光線を反射する反射膜でコーティングされていてもよい。
前記本体部が、中空の容器（３１）と、目玉球（３２）と、キャップ（３５）とを備え、前記容器に、水（３６）を該容器内に入れたのちに前記キャップによって蓋がされる孔が形成されており、前記容器と前記ナット（３３）とが接着されており、鳥が忌避する動物の目に模した目玉シール（１４）が前記目玉球に貼り付けられており、前記目玉球が、前記容器内の前記水に浮かぶようにして該容器内に入れられていてもよい。
前記本体部が、中空の容器（４１）と、該容器から突出された回転軸（４５ａ）の一端に取り付けられたプロペラ（４５）とを備え、前記回転軸の他端が前記容器に回転可能に支持されており、前記容器内に、前記回転軸に固定された、かつ、異なる色をそれぞれ発光する複数個の発光ダイオード（４８1〜４８4）が取り付けられた発光ダイオード支持部材（４７）と、前記プロペラが回ると前記複数個の発光ダイオードを発光させる発光手段とを備え、前記容器と前記ナット（４３）とが接着されており、鳥が忌避する動物の目に模した目玉シール（１４）が前記容器に貼り付けられていてもよい。
前記発光手段が、前記回転軸に固定された基板支持部材（４６）と、該基板支持部材に取り付けられたプリント基板（５１）と、該プリント基板に取り付けられた電池（５３1〜５３3）および遠心力スイッチ（５４）とを備え、前記プロペラが回ると、前記基板支持部材が回って前記遠心力スイッチがオンし、前記電池から前記複数個の発光ダイオードに直流電流が供給されて、該複数個の発光ダイオードが発光してもよい。
前記発光手段が、前記回転軸に固定された基板支持部材（４６）と、該基板支持部材に取り付けられたプリント基板（５１）と、該プリント基板に取り付けられた遠心力スイッチ（５４）と、前記発光ダイオード支持部材に取り付けられた太陽電池とを備え、
前記プロペラが回ると、前記基板支持部材が回って前記遠心力スイッチがオンし、該遠心力スイッチを介して前記太陽電池から前記複数個の発光ダイオードに直流電流が供給されて、該複数個の発光ダイオードが発光してもよい。
前記発光手段が、前記プロペラによる発電機構を備え、前記プロペラが回ると、前記発電機構から前記複数個の発光ダイオードに直流電流が供給されて、該複数個の発光ダイオードが発光してもよい。
本発明の鳥害防止方法は、構造物に用いられるボルトに前記ナットを螺合させて、該ボルトの先端部分に本発明の鳥害防止具を取り付けることを特徴とする。
また、本発明の鳥害防止方法は、本発明の鳥害防止具と、ヒ素を５〜１５重量％含んだヒ素合金により作成された、かつ、ボルトに螺合可能な雌ネジが切られた円筒溝が形成されたナット形状を有する鳥害防止用ヒ素合金金物とを併用して、送電用鉄塔に鳥が近付かないようにする鳥害防止方法であって、前記送電用鉄塔の営巣部分以外の部分に用いられているボルトに前記ナットを螺合させて、該ボルトの先端部分に本発明の鳥害防止具を取り付け、前記送電用鉄塔の前記営巣部分に用いられている他のボルトに前記鳥害防止用ヒ素合金金物を螺合させて、該他のボルトの先端部分に該鳥害防止用ヒ素合金金物を取り付けることを特徴とする。
【発明の効果】
【０００９】
本発明の鳥害防止具は、以下に示す効果を奏する。
（１）本体部とナットとを組み合わせることにより、たとえば送電用鉄塔などの構造物に既に取り付けられているボルトの先端部分に螺合させて取り付けることができる。
（２）鳥害防止具のサイズを小さくすることができるので、送電用鉄塔での作業者の作業を妨げることがない。
（３）鳥が忌避する動物の目に模した本体部を具備することにより、単独で使用しても長期にわたって十分な効果を得ることができるとともに、鳥害防止用ヒ素合金金物と併用すればより十分な効果を得ることができる。
【発明を実施するための最良の形態】
【００１０】
上記の目的を、鳥が忌避する動物の目に模した本体部と、鳥害防止具を取り付けるボルトに螺合可能な雌ネジが切られた円筒溝が形成されたナットとを具備する鳥害防止具により実現した。
【実施例１】
【００１１】
以下、本発明の鳥害防止具の実施例について、図面を参照して説明する。
本発明の第１の実施例による鳥害防止具１０は、図１に示すように、プラスチック製の容器１１およびプラスチック製の目玉球１２を備えた本体部と、塩ビナット（塩化ビニールナット）１３とを具備する。
【００１２】
容器１１は、径４５ｍｍおよび高さ４６ｍｍの略円柱状をなし、透明な上部１１1と半透明な下部１１2とからなる。容器１１は中空となっている。
【００１３】
目玉球１２は、容器１１内の略中央部に位置するように支持棒１２ａを介して容器１１の下部１１2の下面に固定されている。目玉球１２には、鳥が忌避する動物（鷹や蛇など）の目に模した目玉シール１４が複数枚ほど任意の位置に貼り付けられている。目玉シール１４は、図２に示すように２枚の目玉シール１４を左右対称に並べて貼り付けてもよい。
なお、容器１１の外面には、目玉シール１４を貼り付けてもよいし貼り付けなくてもよい。
【００１４】
塩ビナット１３には、鳥害防止具１０を取り付けるボルトに螺合可能な雌ネジが切られた円筒溝が形成されている。また、塩ビナット１３のサイズは、鳥害防止具１０を取り付けるボルトのサイズに合わせる。たとえば送電用鉄塔に使用する場合には、送電用鉄塔の既設のボルトのサイズがＭ１６であるので、塩ビナット１３のサイズはこれに合わせてＭ１６とする。
塩ビナット１３の上面は、容器１１の下部１１2の下面にプラステックボンドで接着されている。
【実施例２】
【００１５】
次に、本発明の第２の実施例による鳥害防止具について、図３を参照して説明する。
本実施例による鳥害防止具２０は、図３に示すように、アクリル製の容器２１およびプラスチック製の目玉球２２を備える本体部と、塩ビナット（塩化ビニールナット）２３とを具備する。
【００１６】
容器２１は、横方向の径が３５ｍｍで高さ方向の径が３０ｍｍである横方向に膨らんだ球状をなす。容器２１には、一端が塩ビナット２３の上面に固定されかつ他端が容器２１の上面に設けられた支持部材２５に固定された支持棒２２ａを通すための貫通孔と、容器２１の中心部に位置するように支持棒２２ａに取り付けられた目玉球２２を収容するための中空部とが形成されている。
容器２１の上面と支持部材２５の下面との間および容器２１の下面と塩ビナット２３の上面との間には隙間が設けられており、容器２１が支持棒２２ａの周りを回転することができるようにされている。
容器２１の外面は、半透明にされているとともに、ミラーボール状に多面カットされている。また、容器２１の外面には、複数枚の目玉シール１４が任意の位置に貼り付けられている。目玉シール１４は、図２に示したように２枚の目玉シール１４を左右対称に並べて貼り付けてもよい。
【００１７】
目玉球２２は、太陽光線を反射する反射膜でコーティングされている。これにより、目玉球２２を光らせて、目玉シール１４を遠方からでも目立つようにすることができる。
塩ビナット２３は、図１に示した塩ビナット１３と同様に構成されている。
【実施例３】
【００１８】
次に、本発明の第３の実施例による鳥害防止具について、図４を参照して説明する。
本実施例による鳥害防止具３０は、図４に示すように、アクリル製の容器３１、プラスチック製の目玉球３２および金属製のキャップ３５を備える本体部と、塩ビナット（塩化ビニールナット）３３とを具備する。
【００１９】
容器３１は、径４５ｍｍおよび高さ５０ｍｍの略円柱状をなす。ただし、容器３１の上面部および下面部は、容器３１の上面および下面に向かって連続的に小さくされている。
容器３１の外面は透明にされている。容器３１の上面部および下面部の外面は三角形状に多面カットされており、また、容器３１の上面部および下面部以外の外面は縦ストライプ状に多面カットされている。
容器３１の上面の中央部には、水３６を入れるための孔（径が３０ｍｍ程度）が形成されている。なお、この孔は、水３６を容器３１内に入れたのち、キャップ３５によって蓋がされる。容器３１は中空とされており、また、容器３１の内部には、塩ビナット３３を下にして鳥害防止具３０を立てたときに高さが２０ｍｍとなる量の水３６が入れられている。
容器３１の下面は、塩ビナット３３の上面にプラステックボンドで接着されている。
【００２０】
目玉球３２は、容器３１内の水３６に浮かぶようにして、容器３１内に入れられている。また、目玉球３２の外面には、複数枚の目玉シート１４が任意の位置に貼り付けられている。これにより、鳥害防止具３０を取り付ける向きによらずに目玉球３２を容器３２の中心部付近に配置することができるとともに、水３６が動くことにより目玉球３２も動くので目玉球３２が目立つようにすることができる。なお、目玉シール１４は、図２に示したように２枚の目玉シール１４を左右対称に並べて貼り付けてもよい。
塩ビナット３３は、図１に示した塩ビナット１３と同様に構成されている。
【実施例４】
【００２１】
次に、本発明の第４の実施例による鳥害防止具について、図５および図６を参照して説明する。
本実施例による鳥害防止具４０は、図５（ａ）に示すように、アクリル製の容器４１およびステンレス製のプロペラ４５を備える本体部と、塩ビナット（塩化ビニールナット）４３とを具備する。
ここで、本体部は、図５（ｂ）に示す基板支持部材４６と発光ダイオード支持部材４７（以下、「ＬＥＤ支持部材４７」と称する。）と青色、黄色、緑色および赤色をそれぞれ発光する第１乃至第４の発光ダイオード４８1〜４８4（以下、「第１乃至第４のＬＥＤ４８1〜４８4」と称する。）とを容器４１内に備える。
【００２２】
容器４１は、径３５ｍｍの球に突起部を一体的に設けた形状をなす。容器４１のプロペラ４５と反対側の半球面（図５（ａ）図示左側半分の面）は透明にされているとともに、その外面はミラーボール状に多面カットされている。また、容器４１のプロペラ４５側の半球面（図５（ａ）図示右側半分の面）および突起部は不透明にされている。
容器４１の外面には、複数枚の目玉シート１４が任意の位置に貼り付けられている。目玉シール１４は、図２に示したように２枚の目玉シール１４を左右対称に並べて貼り付けてもよい。
容器４１の下面は、塩ビナット４３の上面にプラステックボンドで接着されている。
【００２３】
プロペラ４５は、容器４１の突起部から突出された回転軸４５ａ（図５（ｂ）参照）の一端側に取り付けられている。回転軸４５ａの他端は、容器４１の突起部と互いに対向する位置に設けられた軸支持部材（不図示）に回転可能に支持されている。また、基板支持部材４６およびＬＥＤ支持部材４７は回転軸４５ａに固定されており、プロペラ４５が風によって回って回転軸４５ａが回転すると、基板支持部材４６およびＬＥＤ支持部材４７も回転軸４５ａと共に回転するようにされている。
【００２４】
基板支持部材４６は、中空の半球状をなし、その開口部にプリント基板５１が取り付けられている。
プリント基板５１の表面には、図６（ａ）に示すように、第１乃至第４のＬＥＤ４８1〜４８4を支持する直角三角板状の支持板５２が立設されており、第１乃至第４のＬＥＤ４８1〜４８4は、支持板５２の斜面にこの順番で上から取り付けられている。また、プリント基板５１の表面には、第１乃至第３の電池５３1〜５３3と遠心力スイッチ５４とが取り付けられている。
【００２５】
遠心力スイッチ５４は、図６（ｂ），（ｃ）に示すように、円筒状の極板５４ａと、極板５４ａ内に極板５４ａと非接触に取り付けられた、かつ、末端がプリント基板５１に固定されたバネ状部材５４ｂとからなる。また、第１乃至第３の電池５３1〜５３3は直列接続されており、極板５４ａには第１の電池５３1の負極が接続されているとともに、バネ状部材５４ｂには第３の電池５３3の正極が接続されている。
これにより、プロペラ４５が風によって回ると、基板支持部材４６が回転して遠心力スイッチ５４のバネ状部材５４ｂの先端部が図６（ｂ）に示すように遠心力で外側に引っ張られて遠心力スイッチ５４の極板５４ａに接触することによって、第１乃至第３の電池５３1〜５３3から第１乃至第４のＬＥＤ４８1〜４８4に直流電流が供給されて、第１乃至第４のＬＥＤ４８1〜４８4が青色、黄色、緑色および赤色にそれぞれ発光する。なお、第１乃至第３の電池５３1〜５３3と遠心力スイッチ５４と第１乃至第４のＬＥＤ４８1〜４８4との間の配線はプリント基板５１の裏面に形成されている。
【００２６】
ＬＥＤ支持部材４７には、第１乃至第４のＬＥＤ４８1〜４８4を突出させるための第１乃至第４の孔（不図示）が形成されている。
塩ビナット４３は、図１に示した塩ビナット１３と同様に構成されている。
【００２７】
以上の説明では、第１乃至第３の電池５３1〜５３3を用いて第１乃至第４のＬＥＤ４８1〜４８4に直流電流を供給したが、たとえば送電用鉄塔に鳥害防止具４０を使用する場合に第１乃至第３の電池５３1〜５３3の交換作業を不要とするために、ＬＥＤ支持部材４７に取り付けた太陽電池や、プロペラ４５による発電機構（ダイナモなど）を用いて第１乃至第４のＬＥＤ４８1〜４８4に直流電流を供給してもよい。なお、プロペラ４５による発電機構を用いる場合には、遠心力スイッチ５４は不要である。
【００２８】
次に、以上説明した第１乃至第４の鳥害防止具１０，２０，３０，４０を送電用鉄塔に使用する場合の使用方法について、図７を参照して説明する。
送電用鉄塔７０は、図７（ａ）に模式的に示すように、４本の主柱材７１と、主柱材７１間に固設された複数の斜材７２ａおよび水平材７２ｂからなる副材と、主柱材７１の左右に３本ずつ固設されたかつ架空地線または電線からなる架渉線が架設される腕金材７３とを備える。
【００２９】
ここで、主柱材７１は、鉄製の山型鋼や円鋼管などから構成され、基礎構造により地盤に下端が支持されており、概略鉛直上方を指向するように立設されている。
副材は、鉄製の山型鋼で構成され、両端が主柱材７１に補強板７４を介して複数のボルトおよびナットにより固設されて、主柱材７１間にトラス構造を形成している。
腕金材７３は、図７（ｂ），（ｃ）に示すように、鉄製の山型鋼で構成され、腕金主材７３ａと腕金吊材７４ｂとを備え、主柱材７１の外側に延出するように補強板７４を介して複数のボルトおよびナット（丸印で示す。）により主柱材７１に締結されている。
【００３０】
電線は、複数の碍子を段状に介在させて、腕金材７３の両端側に支持されている。なお、腕金材７３への電線の支持方法としては、碍子を鉛直方向に吊り下げて支持する懸垂方式や、腕金材７３の先端に碍子をほぼ水平方向に取り付けた耐張方式などがある。架空地線は、碍子を介することなく鉄塔頂部に支持される。
【００３１】
このように、送電用鉄塔７０は、少なくとも垂直方向に立設する主柱材７１以外の構造材は、主として厚さが１ｃｍ程度の長い平板状の金属板を短手方向に９０°折り曲げて形成した山型鋼であり、山型鋼同士または山型鋼と主柱材７１の連結および接合には、補強板７４などを介して多くのボルトおよびナットが用いられている。
【００３２】
したがって、送電用鉄塔７０に用いられている多数個のボルトの先端部分に鳥害防止具１０，２０，３０，４０を取り付けて、送電用鉄塔７０に鳥が近付かないようにすることにより、鳥などの営巣を防ぐことができる。
【００３３】
なお、鳥の営巣は、送電用鉄塔７０の図７（ｂ），（ｃ）に破線の円で示した部分（以下、「営巣部分」と称する。）になされることが多いため、営巣部分には上記の特許文献３で本出願人が提案した鳥害防止用ヒ素合金金物を取り付けて鳥が送電用鉄塔７０に止まることを防止するとともに、営巣部分以外の部分に鳥害防止具１０，２０，３０，４０を取り付けて送電用鉄塔７０に鳥が近付くことを防止することにより、鳥の営巣をより効果的に防ぐことができる。
【００３４】
また、高圧送電線の送電用鉄塔以外の構造物（たとえば、駅のプラットホームにかかる屋根など）に既設のボルトの先端部分に鳥害防止具１０，２０，３０，４０を取り付けることにより、鳥の営巣、鳥糞の落下および鳥の鳴声による騒音などのような鳥害を防止することができる。この際に、鳥害防止具１０，２０，３０，４０を取り付ける既設のボルトが構造物にない場合には、鳥害防止具１０，２０，３０，４０の取付用ボルトを新たに設けてもよい。
【図面の簡単な説明】
【００３５】
【図１】本発明の第１の実施例による鳥害防止具の構成を示す図である。
【図２】図１に示した目玉シール１４を左右対称に並べたものを示す図である。
【図３】本発明の第２の実施例による鳥害防止具の構成を示す図である。
【図４】本発明の第３の実施例による鳥害防止具の構成を示す図である。
【図５】本発明の第４の実施例による鳥害防止具の構成を示す図である。
【図６】図５に示した鳥害防止具４０の第１乃至第４のＬＥＤ４８1〜４８4の発光手段について説明するための図である。
【図７】本発明の鳥害防止具を送電用鉄塔に使用する場合の使用方法について説明するための図であり、（ａ）は送電用鉄塔７０を模式的に示した図であり、（ｂ）は送電用鉄塔７０の腕金材７３を横から見た図であり、（ｃ）は送電用鉄塔７０の腕金材７３を上から見た図である。
【符号の説明】
【００３６】
１０，２０，３０  鳥害防止具
１１，２１，３１，４１  容器
１１1，４１1  上部
１１2，４１2  下部
１２，２２，３２  目玉球
１２ａ，２２ａ  支持棒
１３，２３，３３  塩ビナット
１４  目玉シール
２５  支持部材
３５  キャップ
３６  水
４５  プロペラ
４５ａ  回転軸
４６  基板支持部材
４７  ＬＥＤ支持部材
４８1〜４８4  第１乃至第４のＬＥＤ
５１  プリント基板
５２  支持板
５３1〜５３3  第１乃至第３の電池
５４  遠心力スイッチ
５４ａ  極板
５４ｂ  バネ状部材
７０  送電用鉄塔
７１  主柱材
７２ａ  斜材
７２ｂ  水平材
７３  腕金材
７４  補強板
【図１】
2008199985.tif 000003
【図２】
2008199985.tif 000004
【図３】
2008199985.tif 000005
【図４】
2008199985.tif 000006
【図５】
2008199985.tif 000007
【図６】
2008199985.tif 000008
【図７】
2008199985.tif 000009